(57)【要約】【課題】例えば面格子を外部から取り外すことができず、防犯上、有効な止め具を提供する。【解決手段】面格子１の背面部と窓サッシ７の前面部を挟み付ける２つの押さえ部材１３，１３と、２つの押さえ部材１３，１３を向き合わせた状態で押さえ部材１３の軸心からずれた位置で２つの押さえ部材１３，１３を窓サッシ７の内側からねじ止めする締め付けねじ１４とからなる。【選択図】        図２
2005069384.tif 000002
【特許請求の範囲】
【請求項１】
被取り付け体の背面部と支持体の前面部を挟み付ける２つの押さえ部材と、２つの押さえ部材を向き合わせた状態で押さえ部材の軸心からずれた位置で２つの押さえ部材を支持体の内側からねじ止めする締め付けねじとからなることを特徴とする止め具。
【請求項２】
２つの押さえ部材にはそれぞれ小径部を備え、この小径部同士を向き合わせ状態とすることを特徴とする請求項１記載の止め具。
【発明の詳細な説明】
【技術分野】
【０００１】
本発明は、例えば建物の窓の外側に防犯などのために設けられる面格子を建物側に取り付けるための止め具に関するものである。
【背景技術】
【０００２】
従来、建物の窓の外側に防犯などのために設けられる面格子の取り付けは例えば特許文献１に開示されているように、建築における窓サッシと面格子とを結合する金物であって、面格子の上部を窓サッシの上部に固定する上部止め金具と、面格子の下部を窓サッシの下部に固定する下部止め金具とより成る格子止め金具において、上部止め金具は、金属板を断面Ｓ字状に曲折して、一端を下向きの吊掛部に他端を上向きの打込部に作り、該打込部の断面形状を開口部の狭い壷型となし、下部止め金具は、取付板の左右両側より取付板と同体に突出した突出片を曲折して、下向きのＵ字型の打込部に作り、該打込部の断面形状を開口部の狭い壷型となし、かつ、左右の両打込部の間に広い隙間を設け、取付板には取付孔を設けた格子止め金具を用いて行なうものが知られている。
【０００３】
かかる特許文献１に開示されている格子止め金具を用いて面格子を窓サッシに取り付けた場合、上部止め金具を面格子の上方から面格子と窓サッシとの間にドライバーなどの道具を差し込んで取り外すことによって面格子の上部が窓サッシから外れ、かかる状態で面格子の上端を手前に引っ張ることにより窓サッシの前方が開かれ、防犯上、問題があった。
【特許文献１】特開平５−９６３９１号公報
【発明の開示】
【発明が解決しようとする課題】
【０００４】
本発明はこのような課題を解決するもので、例えば面格子を外部から取り外すことができず、防犯上、有効な止め具を提供することを目的とするものである。
【課題を解決するための手段】
【０００５】
この課題を解決するために本発明は、被取り付け体の背面部と支持体の前面部を挟み付ける２つの押さえ部材と、２つの押さえ部材を向き合わせた状態で押さえ部材の軸心からずれた位置で２つの押さえ部材を支持体の内側からねじ止めする締め付けねじとからなることを要旨とするものである。また本発明は、２つの押さえ部材にはそれぞれ小径部を備え、この小径部同士を向き合わせ状態とすることを要旨とするものである。
【発明の効果】
【０００６】
以上のように本発明によれば、被取り付け体は支持体側に対して、被取り付け体の背面部と支持体の前面部を２つの押さえ部材によって挟み付け、この２つの押さえ部材を向き合わせた状態で押さえ部材の軸心からずれた位置で２つの押さえ部材を支持体の内側から締め付けねじにより互いにねじ止めすることにより取り付けられるようになっており、支持体の外側に位置する一方の押さえ部材を指で摘んで回そうとしても締め付けねじは２つの押さえ部材の軸心からずれた位置に存在するので、押さえ部材を回すことは不可能であり、支持体の外側から被取り付け体を取り外すことは不可能であり、防犯上、有効な止め具を提供することができる。
【発明を実施するための最良の形態】
【０００７】
図１〜図３に基づき、実施の形態について説明すると、１は堅框２と横桟３とからなる正面形状が矩形のアルミニウム製の面格子（被取り付け体）で、この面格子１の背面における左右両側には後方（窓サッシ側）にフラットアーム４がビス５止めにて突設されている。このビス５止めは面格子１の背面側からのみ行なえるようになっていて、面格子１の前方から見えないようになっている。６はアルミニウム製の窓サッシ（支持体）７の前面板部で、この前面板部６の前面に前記フラットアーム４の背面が当接した状態でフラットアーム４を前面板部６の左右両側近傍位置で止め具８を用いて固定している。前記窓サッシ７には内側からの操作で回転により起倒可能な窓９が取り付けられ、窓９が閉じた状態において窓９の周囲のゴムパッキン１０は窓サッシ７の内面に当接するように構成されている。
【０００８】
ところで、前記止め具８は小径部１１と大径部１２とからなる２つの押さえ部材１３と、この２つの押さえ部材１３の小径部１１同士を向き合わせて当接させた状態で押さえ部材１３の軸心からずれた位置で２つの押さえ部材１３を互いにねじ止めするための締め付けねじ１４とから構成されている。
【０００９】
この止め具８によってフラットアーム４を前面板部６に取り付ける作業は、窓サッシ７の内側から行なわれるのであって、前記窓９を開いた状態で先ず２つの押さえ部材１３の内、一方の押さえ部材１３の小径部１１をフラットアーム４の孔部１５に嵌入させるとともにこの押さえ部材１３の大径部１２をフラットアーム４の外面に当接させ、他方の押さえ部材１３の小径部１１を前面板部６の孔部１６に嵌入させるとともにこの押さえ部材１３の大径部１２を前面板部６の内面に当接させる。これにより２つの押さえ部材１３の小径部１１同士が向き合うように当接する。かかる状態で他方の押さえ部材１３の大径部１２から２つの押さえ部材１３の軸心からずれた位置で他方の押さえ部材１３に形成された貫通孔１７より一方の押さえ部材１３に形成された雌ねじ孔１８に締め付けねじ１４を螺入させて締め付けることにより行なわれる。
【００１０】
なお、前記他方の押さえ部材１３の貫通孔１７は大径部１２から小径部１１に亘って軸心方向に貫通して形成されているが、一方の押さえ部材１３の雌ねじ孔１８は小径部１１から大径部１２の途中まで形成されている。
【００１１】
上記構成において、小径部１１同士が向き合う２つの押さえ部材１３の内、フラットアーム４の外側に位置する一方の押さえ部材１３の大径部１２を指で摘んで回そうとしても締め付けねじ１４は２つの押さえ部材１３の軸心からずれた位置に存在するので、押さえ部材１３を回すことは不可能であり、前記窓９を閉じた状態で窓サッシ７の外側からフラットアーム４、延いては面格子１を取り外すことは不可能である。窓サッシ７から面格子１を取り外すことができるのは、窓サッシ７の内側からだけであり、締め付けねじ１４を弛めることにより行なえる。
【００１２】
なお、上記の実施の形態では、面格子１を窓サッシ７に取り付ける例を示したが、本発明の止め具８は窓サッシ７に対する面格子１の取り付けに限定されるものではない。
また、上記の実施の形態の止め具８は小径部１１と大径部１２とからなる押さえ部材１３を用いているが、小径部１１、つまり段部の存在しない押さえ部材を用いることも可能である。その場合、２つの押さえ部材を同軸上でのみ回転できる構成とし、且つ支持体に被取り付け体を取り付けた状態において止め具を支持体から外れない構成にすれば良い。
【００１３】
さらに、押さえ部材の形状は円柱状に限定されるものではなく、角柱（四角および多角形を含む）などであっても良い。
【図面の簡単な説明】
【００１４】
【図１】本発明の実施の形態における止め具の分解斜視図である。
【図２】同止め具による窓サッシに対する面格子の取り付け状態を示す横断面図である。
【図３】図２の要部拡大断面図である。
【符号の説明】
【００１５】
１          面格子
２          堅框
３          横桟
４          フラットアーム
５          ビス
６          前面板部
７          窓サッシ
８          止め具
９          窓
１１          小径部
１２          大径部
１３          押さえ部材
１４          締め付けねじ
１５，１６    孔部
１７          貫通孔
１８          雌ねじ孔
【図１】
2005069384.tif 000003
【図２】
2005069384.tif 000004
【図３】
2005069384.tif 000005